(57)【要約】【課題】  水洗便器装置のみを交換して従来設置されていた外部排水管に適切に排水することのできる水洗便器装置を提供すること。【解決手段】  ボウル部２から外部排水管９への排水経路Ｔに、自由端とした後端４１を回動自在としたトラップ部４と、トラップ部４を収容しトラップ部４から排出される排水を外部排水管９へ導く導水ケース５とを有する水洗便器装置１である。トラップ部４の後端４１の回動範囲を、開口が封水時の略上方から排水時の略側方に向く迄と成す。ボウル部２からトラップ部４前端へ延びる排水管部３の下方に、導水ケース５と外部排水管９との間を連通させる横引き配管８を設置可能とさせる。【選択図】図１
2005273336.tif 000002
【特許請求の範囲】
【請求項１】
ボウル部から外部排水管への排水経路に、自由端とした後端を回動自在としたトラップ部と、トラップ部を収容しトラップ部から排出される排水を外部排水管へ導く導水ケースとを有する水洗便器装置であって、
前記トラップ部後端の回動範囲を、開口が封水時の略上方から排水時の略側方に向く迄と成し、前記ボウル部から同トラップ部前端へ延びる排水管部の下方に、前記導水ケースと外部排水管との間を連通させる横引き配管を設置可能とさせて成る水洗便器装置。
【請求項２】
前記トラップ部の後端に、排出される排水を導水ケース内において略下向きに整流させる整流部を設けたことを特徴とする請求項１記載の水洗便器装置。
【請求項３】
前記トラップ部を蛇腹状の管体にて形成するとともに前記整流部を同管体後端に付設させた直交する２方に開口をもったＬ字状管体としたことを特徴とする請求項２記載の水洗便器装置。
【発明の詳細な説明】
【技術分野】
【０００１】
本発明は水洗便器装置に関し、特に、トラップ部を反転回動させることで封水と排水との切り換えを可能とした水洗便器装置に関するものである。
【背景技術】
【０００２】
従来、ボウル部から外部排水管への排水経路となるボウル部から延びる排水路にトラップ部を配設した水洗便器装置として、節水・静音洗浄を可能としたもので、そのトラップ部を、自由端とした後端が上下に反転自在となるようにし、同トラップ部を外部排水管に連通する導水ケース内に収容させたものが知られている。このような水洗便器装置にあっては、トラップ部の自由端とした後端を上下に反転するための電動のトラップ駆動手段が設けられ、トラップ部から排水するときボウル部に給水する給水管路が設けられ、洗浄スイッチがオンになるとこの給水管路の給水弁がオンになってボウル部への給水を行い、電動のトラップ駆動手段が駆動してトラップ部の自由端となった後端が下方に回動して排水をし、その後、トラップ駆動手段が駆動してトラップ部の自由端となった後端を上方に回動して封水をし、その後、ボウル部内に水を溜めて給水弁がオフとなるようしている。このような可動形のトラップ部には、たとえば蛇腹ホース等の屈曲自在な管体部材を使用することができる。
【０００３】
ところで、上記構成のものは、初期通水時においては自由端としたトラップ部後端の開口中心が上記回転軸に対して上向きの略垂直位置、すなわち開口が略水平となるよう封水状態に配置され、また汚物やトイレットペーパーが排出される排水時には、自由端とした後端の開口中心が、下向きの略垂直位置、すなわち開口が略水平となるように配置されており、また、トラップ部後端がフランジ形状となっていた。そのため、初期通水時にトラップ部後端が上向きの略垂直位置にあることによって、汚水が排水管部すなわち横方向に流れ出してしまい、洗浄水の全てを汚物やトイレットペーパーの搬送排出に利用できないこと、さらに、トラップ部の外周部に汚物やトイレットペーパーが付着しさらにその除去を難しいものとすることが懸念されていた。
【０００４】
したがって、本出願人は、上記改善すべき点についての新しい技術として、汚水の可動トラップ終端での横方向等への流れ出しによる不都合や、汚物排出中における汚物やトイレットペーパーのかき上げという不具合発生のない新しい自動排出機構式の水洗便器装置として、特開平１１−２１００５４号公報に開示されている、図３に示す水洗便器装置１００を提案している。
【０００５】
この水洗便器装置１００は、便器本体のボウル部１０２から延びた排水管部１０３に配設されるとともに外部排水管に連通する導水ケース１０５内に収容された可動形のトラップ部１０４の回転軸１０１が、制御部に電気的に接続されて動作制御されるモータに連結され、モータの動作による回転軸１０１の回転にともなってトラップ部１０４の自由端とした後端Ｅが上下方向に回転および反転可能とされている自動排出機構式の水洗便器装置であり、可動形のトラップ部１０４の後端Ｅが上向きの位置にある初期通水時には、この後端Ｅが、回転方向の導水ケース１０５の内壁面側に傾いた位置になるようにしている。これにより、後端Ｅの開口は傾斜して、回転方向の下方の縁部より前方に優先的に汚水が流れ出すようにすることができるので、トラップ部１０４の後端Ｅでのその開口から横方向や、さらには後方への汚水の流れ出しが防止され、溜め水、洗浄水のほとんどが汚物やトイレットペーパーの搬出、排出に有効に利用されるとともに、トラップ部１０４外周部等へのそれらの付着も防止されることになる。
【０００６】
しかしながら、上記技術は、汚物やトイレットペーパーの搬出、排出を確実にさせるためのもので、立上げ配管された外部排水管に直接排水させている。そのため、トラップ部１０４の後端Ｅと導水ケース１０５との間に一定以上の距離を確保した状態にて排水を外部排水管へ導く必要もあって、水洗便器装置１００を交換して従来設置されていた外部排水管に適切に排水させるためには水洗便器装置の設置位置が限定されてしまうという問題があった。
【特許文献１】特開平１１−２１００５４公報
【発明の開示】
【発明が解決しようとする課題】
【０００７】
本願発明は、上記背景技術に鑑みてなされたものであり、その課題は、水洗便器装置のみを交換して従来設置されていた外部排水管に適切に排水することのできる水洗便器装置を提供することである。
【課題を解決するための手段】
【０００８】
上記課題を解決するために、本願発明の水洗便器装置は、ボウル部から外部排水管への排水経路に、自由端とした後端を回動自在としたトラップ部と、トラップ部を収容しトラップ部から排出される排水を外部排水管へ導く導水ケースとを有する水洗便器装置であって、前記トラップ部後端の回動範囲を、開口が封水時の略上方から排水時の略側方に向く迄と成し、前記ボウル部から同トラップ部前端へ延びる排水管部の下方に、前記導水ケースと外部排水管との間を連通させる横引き配管を設置可能とさせて成ることとしている。
【０００９】
そして、前記トラップ部の後端に、排出される排水を導水ケース内において略下向きに整流させる整流部を設けることが好ましい。
【００１０】
また、前記トラップ部を蛇腹状の管体にて形成するとともに前記整流部を同管体後端に付設させた直交する２方に開口をもったＬ字状管体とすることが好ましい。
【発明の効果】
【００１１】
本願発明の水洗便器装置においては、ボウル部から、その後端の回動範囲を開口が封水時の略上方から排水時の略側方に向く迄と成したトラップ部の前端へ延びる排水管部の下方に、外部排水管と、該トラップ部を収容し、それから排出される排水を外部排水管へ導く導水ケースとの間を連通させる横引き配管が設置されるので、水洗便器装置のみを交換して従来設置されていた外部排水管に適切に排水することができる。
【００１２】
また、前記トラップ部の後端に設けられた整流部にて、排水時の略側方に向いたトラップ部から排出される排水が導水ケース内において略下向きに整流されるので、導水ケース内における排水の乱流が少なくなり、エネルギーロスが減少しより適切に排水される。
【００１３】
また、蛇腹状の管体にて形成されたトラップ部後端に付設される２方に開口をもったＬ字状管体による整流部にて整流し排水されるので、トラップ部外周部等への汚物やトイレットペーパー等が付着せず排出が確実となる。
【発明を実施するための最良の形態】
【００１４】
図１は、本願の請求項１に対応した第１の実施形態である水洗便器装置を示し、図２は、請求項２、３に対応した第２の実施形態である水洗便器装置を示している。
【００１５】
第１の実施形態の水洗便器装置１は、背景技術の項にて説明した、ボウル部２から外部排水管９への排水経路Ｔに、自由端とした後端４１を回動自在としたトラップ部４と、トラップ部４を収容しトラップ部４から排出される排水を外部排水管９へ導く導水ケース５とを有する、トラップ部４を反転回動させることで封水と排水との切り換えをおこない節水・静音洗浄を可能とした水洗便器装置で、トラップ部４の後端４１の回動範囲を、開口が封水時の略上方から排水時の略側方に向く迄と成し、ボウル部２からトラップ部４前端へ延びる排水管部３の下方に、導水ケース５と外部排水管９との間を連通させる横引き配管８を設置可能とさせている。
【００１６】
詳しくは、水洗便器装置１は、上方が開口となったボウル部２が形成してあり、さらに水洗便器装置１の後部の内部には収納空所部が設けてあり、この収納空所部内に導水ケース５が内装してある。トラップ部４は、軟質塩化ビニル樹脂等の可とう性を有する軟質の合成樹脂材料による蛇腹状管体にて形成され、このトラップ部４の前側接続部がボウル部２の後端部に形成されたボウル排出口となる排水管部３に嵌め込んで接続してある。
【００１７】
導水ケース５は、中間部となるケース本体５１と蓋体５２と下ケース５３とが一体化されて形成され、ケース本体５１は、その前側に後述するトラップ部４の導入口５４を有し、上記トラップ部４の後端４１の開口が排水時に対向する周壁が一定の幅以上となるように形成され、また、下ケース５３の前側には、横引き配管８の接続開口５５が設けて形成されている。
【００１８】
ケース本体５１には、図１において奥側及び手前側となる取り付け穴に、トラップ部４を回動自在且つ上方から側方まで回動自在となるよう挿入して取り付けてあり、トラップ部４の大部分は、導水ケース５のケース本体５１内部に配置される。この場合、トラップ部４の後端４１の開口が排水時に対向する導水ケース５の周壁は、排水時にトラップ部４後端が略側方に向いたときに汚水が直接導水ケース５に当たらないよう所定寸法以上の幅を持つよう湾曲形状として、当該導水ケース５に汚物が滞留しにくいように形成させている。
【００１９】
導水ケース５内に設けられたトラップ部４は、図示していない駆動手段にてトラップ部４の自由端とした後端４１が上下方向に上方から側方までを回動範囲として反転自在に回動されるようになっている。この場合、トラップ部４は、導水ケース５に回転自在に取り付けた回転体（図示せず）がトラップ部４の後端４１に連結してあり、またこの回転体は回転軸４２にて回転駆動されるように回転軸４２に連結してある。従って、回転軸４２を一方向に回転すると、トラップ部４の自由端とした後端４１が、図１において矢印Ａに示すように、上向きから横向きになる迄の範囲を下向きに回動し、また、これとは逆方向に回転するとトラップ部４の自由端とした後端４１が上向きに回動する。なお、このトラップ部４は、後端４１が上向きとなる位置まで回転するようにばねまたは錘で付勢することが好ましい。
【００２０】
導水ケース５の前下部となる下ケース５３の接続開口５５は、横引き配管８を設けるための排出穴であり、横引き配管８の一端を接続してある。この横引き配管８の他端は、この水洗便器装置１の設置床面において立上げ設置されている外部排水管９と、９０度エルボ８１を介して接続される。従って、ボウル部２の下方開口となる排水管部３、トラップ部４、導水ケース５、横引き配管８及び外部排水管９へ至る排水経路Ｔを略Ｕ字状に構成してある。
【００２１】
ボウル部２の後上部には制御部６を設けてあり、この制御部６内にボウル部２に給水する給水管路を配置し、その給水管路の途中には、給水の開閉操作をするための電磁式の給水弁が設けてあり、またこの給水管路の先端部がボウル部２の上方開口縁部に形成された通水用のリム部と連通し、他端部を水道管に接続するようにしてある。上記給水弁、及び前述の回転軸４２を駆動させるモータは、この制御部６に設けられた制御回路に電気的に接続されて動作制御するようになっており、さらにボウル部２前上部の蓋体７が、この制御部６にて自動的に開閉させる開閉手段を制御するようになっている。
【００２２】
以上の構成を有する水洗便器装置１は、ボウル部２から、その後端４１の回動範囲を開口が封水時の略上方から排水時の略側方に向く迄と成したトラップ部４の前端へ延びる排水管部３の下方に、外部排水管９と、該トラップ部４を収容し、それから排出される排水を外部排水管９へ導く導水ケース５との間を連通させる横引き配管８が設けられ、従来設置されていた外部排水管９と導水ケース５の接続開口５５とが、横引き配管８を介して接続されて設置される。
【００２３】
そして、使用にあたっては、通常の封水時は、トラップ部４の自由端の開口が上方を向いて配置され、図１に示すように、ボウル部２の内部にこの自由端までの高さ（給水ライン）に水が溜められて封水されている。また、用便後において、適宜設けられているスイッチ等を介して排出動作指示が入力されると、上記給水弁が開動作し、ここを通じてボウル部２内に洗浄水が供給される。その後、上記モータが動作して回転軸４２が駆動回転されてトラップ部４の自由端を下方に回転させる。このトラップ部４の自由端の回転にともなって、同図に示すように開口が封水時の略上方から排水時の略側方に向くと、略上方の封水状態から回動されて開口が略側方に向いたトラップ部４の後端４１の開口からの排水が、排水時に対向する導水ケース５の周壁に当たって導水ケース５側方から下方へ略Ｕ字状の排水経路Ｔに沿って導水されて、ボウル部２内の汚物が洗浄水とともに外部排水管９に向かって流出して便器外に排出されるのである。
【００２４】
汚物が完全に排出された後には、上記モータにより回転軸４２が逆回転し、トラップ部４を反転させて初期状態に戻し、再び、ボウル部２の内部に給水ラインまで貯水して封水する。そして、給水弁が閉動作する。このようにして従来の水洗便器のような、汚物排出時に汚物の排出に直接関与しない、サイフォン作用を起こすためのみに使用される洗浄水を必要としない、節水・静音洗浄を可能とするのである。
【００２５】
したがって、以上説明した水洗便器装置１によると、ボウル部２から、その後端４１の回動範囲を開口が封水時の略上方から排水時の略側方に向く迄と成したトラップ部４の前端へ延びる排水管部３の下方に、外部排水管９と、該トラップ部４を収容し、それから排出される排水を外部排水管９へ導く導水ケース５との間を連通させる横引き配管８が設置されるので、従来設置されていた外部排水管に水洗便器装置１のみを交換し適切に設置することができる。
【００２６】
次に、本願の、請求項２、３に対応した第２の実施形態である水洗便器装置について、図２に基づいて説明する。第２の実施形態の水洗便器装置１０は、同図に示すように、上記した第１の実施形態の水洗便器装置１のトラップ部４の後端４１に、排出される排水を導水ケース５内において略下向きに整流させる整流部１１を設けている。また、前記トラップ部４を蛇腹状の管体にて形成するとともに前記整流部１１を同管体後端に付設させた直交する２方に開口をもったＬ字状管体としてもいる。
【００２７】
詳しくは、この水洗便器装置１０は、第１の実施形態の水洗便器装置１による導水ケース５に内装された、軟質塩化ビニル樹脂等の可とう性を有する軟質の合成樹脂材料による蛇腹状管体にて形成されたトラップ部４の後端４１に、例えば硬質塩化ビニル樹脂などの硬質合成樹脂製で２方に開口をもったＬ字状管体にて形成された整流部１１を嵌め込んで接続させ付設している。
【００２８】
この水洗便器装置１０は、通常の封水時は、図２（ａ）に示すように、トラップ部４の後端４１の開口が上向きで整流部１１のＬ字端部の開口が横を向いて配置され、ボウル部２の内部にこの自由端までの高さ（給水ライン）に水が溜められて封水されている。また、トラップ部４の自由端を下方に回転され、このトラップ部４の自由端の回転にともなって、図２（ｂ）に示すようにトラップ部４が略上方の封水状態から回動されて、その後端４１の開口が封水時の略上方から排水時の略側方に向くと整流部１１のＬ字端部の開口が下を向いて、その開口からの排水が導水ケース５の周壁に当たって、飛散することなく導水ケース５側方から下方へ略Ｕ字状の排水経路Ｔに沿って導水されて、ボウル部２内の汚物が洗浄水とともに外部排水管９に向かって流出して便器外に排出される。このようにして、汚物排出時にあって第１の実施形態の水洗便器装置１のものより排水時の乱流、エネルギロスを少なくして、節水・静音洗浄を可能とするのである。
【００２９】
したがって、以上説明した水洗便器装置１０によると、トラップ部４の後端４１に設けられた整流部１１にて、排水時の略側方に向いたトラップ部４から排出される排水が導水ケース５内において略下向きに整流されるので、導水ケース５内における排水の乱流が少なくなり、エネルギーロスが減少しより適切に排水される。
【００３０】
また、蛇腹状の管体にて形成されたトラップ部４の後端４１に付設される２方に開口をもったＬ字状管体による整流部１１にて整流し排水されるので、トラップ部外周部等への汚物やトイレットペーパー等が付着せず排出が確実となるという効果を奏する
【図面の簡単な説明】
【００３１】
【図１】本願発明の一実施形態である水洗便器装置の概略構成を示す側面からみた状態の説明図。
【図２】同水洗便器装置の別の実施形態である水洗便器装置を示し、（ａ）は封水状態、（ｂ）は排水状態を示説明図。
【図３】従来例である水洗便器装置の全体を示す概略構成図。
【符号の説明】
【００３２】
１、１０    水洗便器装置
２      ボウル部
３      排水管部
４      トラップ部
４１      後端
５      導水ケース
８      横引き配管
９      外部排水管
１１      整流部
Ｔ      排水経路
【図１】
2005273336.tif 000003
【図２】
2005273336.tif 000004
【図３】
2005273336.tif 000005